(57)【要約】【課題】  つなぎ撮りを行った場合にも良好な再生画像を得ることを可能にする。【解決手段】  記録媒体に記録される第１のデータに含まれる所定のデータに基づいて、前記第１のデータの編集位置を検出し（ステップＳ５０２）、検出された第１の編集位置を含むデータに対するエラー訂正を行い（ステップＳ５０３）、エラー訂正処理が正常に行われたか否かを判断する（ステップＳ５０４）。第１の編集位置を含むデータに対するエラー訂正処理が正常に行われたと判断された場合、第１の編集位置を含むデータに連続させて、第２のデータを記録媒体に記録する（ステップＳ５１５）。【選択図】  図５
2006295488.tif 000002
【特許請求の範囲】
【請求項１】
記録媒体に記録される第１のデータに含まれる所定のデータに基づいて、前記第１のデータの編集位置を検出する検出手段と、
前記検出手段により検出された第１の編集位置を含む所定量のデータを単位としてエラー訂正処理を行うエラー訂正手段と、
前記エラー訂正手段により訂正不能なエラーが存在するか否かを判断する判断手段と、
前記判断手段により前記第１の編集位置を含む前記所定量のデータ中に訂正不能なエラーが存在しないと判断された場合に、前記第１の編集位置を含むデータに連続させて、第２のデータを前記記録媒体に記録する記録手段とを有することを特徴とする記録再生装置。
【請求項２】
前記検出手段は、前記第１の編集位置を含む前記所定量のデータ中に訂正不能なエラーが存在した場合、前記第１の編集位置から所定の範囲内の編集位置を検出し、前記記録手段は、前記所定の範囲内の編集位置を含む前記所定量のデータ中に訂正不能なエラーが存在しない場合、前記訂正不能なエラーが存在しない所定量のデータ中の前記編集位置を含むデータに連続させて、前記第２のデータを前記記録媒体に記録することを特徴とする請求項１に記載の記録再生装置。
【請求項３】
前記所定の範囲を任意に設定可能な設定手段を更に有することを特徴とする請求項２に記載の記録再生装置。
【請求項４】
前記検出手段は、前記第１の編集位置を含む前記所定量のデータ中に訂正不能なエラーが存在した場合、前記第１の編集位置から後の範囲の編集位置を検出し、前記記録手段は、前記第１の編集位置から後の範囲で検出される第２の編集位置を含む前記所定量のデータ中に訂正不能なエラーが存在しない場合、前記訂正不能なエラーが存在しない前記所定量のデータ中の前記第２の編集位置を含むデータに連続させて、前記第２のデータを前記記録媒体に記録することを特徴とする請求項１に記載の記録再生装置。
【請求項５】
前記検出手段は、前記第１の編集位置から後の範囲における第２の編集位置を含む前記所定量のデータ中に訂正不能なエラーが存在した場合、前記第１の編集位置から前の範囲の編集位置を検出し、前記記録手段は、前記第１の編集位置から前の範囲で検出される第３の編集位置を含む前記所定量のデータ中に訂正不能なエラーが存在しない場合、前記訂正不能なエラーが存在しない所定量のデータ中の前記第３の編集位置を含むデータに連続させて、前記第２のデータを前記記録媒体に記録することを特徴とする請求項４に記載の記録再生装置。
【請求項６】
前記記録手段は、前記第３の編集位置を含む前記所定量のデータ中に訂正不能なエラーが存在した場合、前記第１の編集位置を含むデータから不連続な状態で前記第２のデータを前記記録媒体に記憶させることを特徴とする請求項５に記載の記録再生装置。
【請求項７】
前記第１の編集位置から前記後の範囲を任意に設定可能な設定手段を更に有することを特徴とする請求項４乃至６の何れか１項に記載の記録再生装置。
【請求項８】
前記設定手段は、前記第１の編集位置から前記前の範囲を更に任意に設定可能であることを特徴とする請求項７に記載の記録再生装置。
【請求項９】
記録媒体に記録される第１のデータに含まれる所定のデータに基づいて、前記第１のデータの編集位置を検出する検出ステップと、
前記検出ステップにより検出された第１の編集位置を含む所定量のデータを単位としてエラー訂正処理を行うエラー訂正ステップと、
前記エラー訂正ステップにより訂正不能なエラーが存在するか否かを判断する判断ステップと、
前記判断ステップにより前記第１の編集位置を含む前記所定量のデータ中に訂正不能なエラーが存在しないと判断された場合に、前記第１の編集位置を含むデータに連続させて、第２のデータを前記記録媒体に記録する記録ステップとを含むことを特徴とする記録再生方法。
【請求項１０】
請求項９に記載の記録再生方法をコンピュータに実行させるためのプログラム。
【請求項１１】
請求項１０に記載のプログラムを記録したコンピュータ読み取り可能な記録媒体。
【発明の詳細な説明】
【技術分野】
【０００１】
本発明は、記録媒体に記録されるデータを記録再生可能な記録再生装置及び記録再生方法に関するものである。
【背景技術】
【０００２】
従来、デジタル動画像信号を磁気テープに対して記録再生するデジタルＶＴＲが知られている。また、近年では、デジタル動画像信号をＭＰＥＧ方式で符号化して磁気テープに記録する装置も提案されている（例えば、特許文献１参照）。特許文献１には、テープ上の所定数のトラックを単位として記録するデータに対してエラー訂正符号化処理を施して記録するものが開示されている。従って、テープに記録されている動画像信号の終端部分に引き続いて動画像信号を記録する、いわゆるつなぎ撮りを行う場合にも、このエラー訂正符号化の単位である所定数のトラック単位でつなぎ撮りを行えば、再生時につなぎ部分において再生画像が乱れることなく良好な再生画像を得ることができる。
【０００３】
そのため、特許文献１に開示される発明は、つなぎ撮り開始前に、つなぎ撮り開始部分におけるエラー訂正符号化単位分のデータを再生してメモリに記憶しておき、このメモリ上で新たに記録を開始する動画像信号を合成した後、改めて所定数のトラックを単位としてエラー訂正符号化し、記録している。
【０００４】
【特許文献１】特開２０００−１３４５６８号公報
【発明の開示】
【発明が解決しようとする課題】
【０００５】
しかしながら、特許文献１に開示される発明においては、つなぎ撮り開始部分に記録されているデータに訂正不能なエラーが含まれているか否かに関係なく、メモリに記憶されたエラー訂正符号化単位分のデータに新たな動画像信号を合成し、新たにエラー訂正符号化処理を施して記録を開始しまうため、つなぎ撮り位置を含むエラー訂正符号化単位のデータ中にそのまま訂正不能なエラーが残ってしまい、再生画像が乱れてしまうという問題があった。
【０００６】
そこで、本発明の目的は、つなぎ撮りを行った場合にも良好な再生画像を得ることを可能にすることにある。
【課題を解決するための手段】
【０００７】
本発明の記録再生装置は、記録媒体に記録される第１のデータに含まれる所定のデータに基づいて、前記第１のデータの編集位置を検出する検出手段と、前記検出手段により検出された第１の編集位置を含む所定量のデータを単位としてエラー訂正処理を行うエラー訂正手段と、前記エラー訂正手段により訂正不能なエラーが存在するか否かを判断する判断手段と、前記判断手段により前記第１の編集位置を含む前記所定量のデータ中に訂正不能なエラーが存在しないと判断された場合に、前記第１の編集位置を含むデータに連続させて、第２のデータを前記記録媒体に記録する記録手段とを有することを特徴とする。
本発明の記録再生方法は、記録媒体に記録される第１のデータに含まれる所定のデータに基づいて、前記第１のデータの編集位置を検出する検出ステップと、前記検出ステップにより検出された第１の編集位置を含む所定量のデータを単位としてエラー訂正処理を行うエラー訂正ステップと、前記エラー訂正ステップにより訂正不能なエラーが存在するか否かを判断する判断ステップと、前記判断ステップにより前記第１の編集位置を含む前記所定量のデータ中に訂正不能なエラーが存在しないと判断された場合に、前記第１の編集位置を含むデータに連続させて、第２のデータを前記記録媒体に記録する記録ステップとを含むことを特徴とする。
本発明のプログラムは、前記記録再生方法をコンピュータに実行させることを特徴とする。
本発明のコンピュータ読み取り可能な記録媒体は、前記プログラムを記録したことを特徴とする。
【発明の効果】
【０００８】
本発明によれば、第１のデータの編集位置を検出し、第１の編集位置を含む所定量のデータ中に訂正不能なエラーが存在しない場合、当該第１の編集位置を含む所定量のデータに連続させて第２のデータを記録媒体に記録するように構成したので、つなぎ撮りを行った場合にも良好な再生画像を得ることができる。
【発明を実施するための最良の形態】
【０００９】
以下、本発明を適用した好適な実施形態を、添付図面を参照しながら詳細に説明する。
【００１０】
図１は、本発明の実施形態に係る記録再生装置の全体構成を示す図である。１０１は、映像の入出力するＶＩＤＥＯ Ｉ／Ｆ、１０２は、音声の入出力するＡＵＤＩＯ Ｉ／Ｆ、１０３は、画像を圧縮、伸張するＭＰＥＧコーデック、１０４は、画像圧縮データを蓄積するバッファを制御するバッファ管理部、１０５は、可変長の画像圧縮データを蓄積するバッファ、１０６は、エラー訂正処理を行うエラー訂正部、１０７は、エラー訂正を行うための作業用のメモリであるＥＣＣ ＷＯＲＫ メモリ、１０８は、編集ポイントを含むＥＣＣユニットを保存するＥＣＣユニットキャプチャメモリ、１０９は、アナログ信号を変調、復調するテープインタフェース、１１０は、各ブロックを制御するマイコン、１１１は、マイコンからの指示でテープを駆動するキャプスタンモータ、１１２は、記録媒体であるテープである。
【００１１】
図１を使用し、磁気テープ上のデータを再生する動作について説明する。マイコン１１０の指示により、転送されているテープ１１２から、回転ドラム上に取り付けられた磁気ヘッドにて、再生されたアナログ信号を取り出す。取り出されたアナログ信号は、テープインタフェース１０９にて復調されデジタルデータに変換される。
【００１２】
また、テープ１１２上のデータは、テープインタフェース１０９で復調され、エラー訂正部１０６に入力される。エラー訂正部１０６は、入力したデータをＥＣＣ ＷＯＲＫメモリ１０７に蓄積し、エラー訂正処理を行う。エラー訂正後のデータは、エラー訂正部１０６よりバッファ管理部１０４を通してストリームバッファ１０５に蓄積される。
【００１３】
次に、ストリームバッファ１０５に蓄積されたデータを、ＭＰＥＧコーデック１０３が読出し、デコードし、ＶＩＤＥＯ Ｉ／Ｆ１０１、ＡＵＤＩＯ Ｉ／Ｆ１０２に出力する。
【００１４】
次に記録動作を説明する。マイコン１１０の指示により、ＶＩＤＥＯ Ｉ／Ｆ１０１、ＡＵＤＩＯ Ｉ／Ｆ１０２からの入力信号をＭＰＥＧコーデック１０３によりエンコードし、ストリームバッファ１０５へ蓄積される。蓄積されたエンコードデータは、バッファ管理部１０４を通してエラー訂正部１０６によりエラー訂正され、ＥＣＣ ＷＯＲＫメモリ１０７へ蓄積される。ＥＣＣ ＷＯＲＫメモリ１０７に蓄積されたデータは、テープインタフェース１０９で変調され、磁気テープ１１２へ記録される。
【００１５】
図２は、本実施形態における磁気テープ上の記録パターンの一例を示す図である。本実施形態では、磁気テープ１１２上に形成した１６トラック分のデータを一つのエラー訂正符号化の単位（以下、ＥＣＣユニットと称す）としており、テープに対しては、この１６トラックを最小の記録単位として動画像データを記録している。
【００１６】
また、本実施形態では、動画像をＭＰＥＧ方式で符号化して記録しているが、ＭＰＥＧ方式によれば、１フレームの画像データのデータ量がフレーム毎に異なるため、テープ上におけるフレームの境界位置が一定とならない。そのため、つなぎ撮りを行う場合には、つなぎ撮り部分を含むＥＣＣユニットのデータをメモリに記憶した後、メモリ上でつなぎ撮り開始部分のデータを合成して記録しなおしている。
【００１７】
また、図２中の編集ポイントとは、このように新たな記録を開始できるポイントを示す情報であり、本実施形態では、Ｉピクチャ、あるいは、Ｐピクチャの先頭部分に記録されている。ＭＰＥＧ符号化ではフレーム毎のデータ量が変化するため、この編集ポイントを含むＥＣＣユニットと含まないＥＣＣユニットが存在することになる。
【００１８】
図３は、本実施形態における磁気テープ上のＥＣＣユニット（１６トラックのデータ）の一例を示す。テープ上には、記録の最小単位（ＥＣＣユニット）である１６トラック単位で図３に示すようにOuter Parityがつけられており、ＥＣＣユニット単位でエラー訂正を行うことにより、ＥＣＣユニット単位でエラーの有無を判断する。よってこのＥＣＣユニットが記録の最小単位となる。
【００１９】
また、ＥＣＣユニット内には、このＥＣＣユニット内の情報を示すシステムデータが用意されている。システムデータ内には、このＥＣＣユニット内の編集ポイントの有無及び、編集ポイントのＥＣＣユニット内の位置（トラックナンバ及び、後述のシンクブロックナンバ）、編集ポイントから記録されているピクチャのＤＴＳ（Decode Time Stamp）と１つのピクチャが復号のためにＶＢＶバッファ内に留まる時間を示すVBV_Delay値及び、ピクチャの種類が書き込まれている。
【００２０】
図４は、図３における各トラック内の構成を示している。トラック内は、０〜１３８のSync Blockで構成されている。各Sync BlockはSync、ID0、ID1、ID2、Outer Parity又はDATA、そして最後にInner Parityで構成されている。そして、ID0〜2の中には、ＥＣＣユニット内のトラック位置を示すトラックペアNO.およびトラック内のSync Block位置を示すSync Block NO．が含まれる。エラー訂正部１０６は、このトラック内にあるOuter Parity、Inner Parityを用いてＥＣＣユニット単位でエラー検出および訂正を行う。
【００２１】
次に、本実施形態に係る記録再生装置の処理について説明する。図５は、本実施形態に係る記録再生装置の動作の流れを示すフローチャートである。図６は、テープパターンの一部を示したものであり、順方向、逆方向の編集ポイントが示されている。
【００２２】
記録済みの磁気記録テープに新たな記録を行う際、磁気テープを現在再生表示されている画像のデータが記録されているテープ位置付近へ巻き戻す（ステップＳ５０１）。続いて、ステップＳ５０１で巻き戻したテープ位置より、定常再生し編集ポイント（フレームの切り替え点又はつなぎポイント）を検出する（ステップＳ５０２）。このポイントを第一の編集ポイントとする。
【００２３】
続いて、ステップＳ５０２で検出された編集ポイントの記録最小単位のデータをエラー訂正部１０６にてエラー訂正を行う（ステップＳ５０３）。
【００２４】
続いて、ステップＳ５０３でのエラー訂正復号処理を行った結果、訂正不能なエラーが生じたか否かを判断する（ステップＳ５０４）。エラーが生じたと判断された場合、ステップＳ５０５へ進む。エラーが生じなかったと判断された場合、ステップＳ５１５へ進む。
【００２５】
ステップＳ５０４でエラーが生じたと判断された場合、順方向に定常再生し、次の編集ポイントを検出する（ステップＳ５０５）。ステップＳ５０５で検出された編集ポイントの記録最小単位のデータをエラー訂正部１０６にてエラー訂正を行う（ステップＳ５０６）。
【００２６】
続いて、ステップＳ５０６でのエラー訂正にエラーが生じたか否かを判断する（ステップＳ５０７）。エラーが生じたと判断された場合、ステップＳ５０８へ進む。エラーが生じなかったと判断された場合、ステップＳ５１５へ進む。
【００２７】
ステップＳ５０７でエラーが生じたと判断された場合、第一の編集ポイントを除いて現在まで検出した編集ポイントの数と閾値とを比較する（ステップＳ５０８）。閾値は、予め設定できる任意の整数値で、第一の編集ポイントの記録最小単位のデータに対するエラー訂正にエラーが生じた場合、つなぎ記録の対象となる他の編集ポイントをいくつまで検出しなおすかを決める値である。
【００２８】
現在まで検出した編集ポイントの数が閾値と等しくなった場合、ステップＳ５０９へ移行し、検出した編集ポイントの数が閾値よりまだ少ない場合、ステップＳ５０８へ戻る。
【００２９】
ステップＳ５０８で閾値と等しくなった場合、テープ位置を第一の編集ポイントの位置から更に閾値の編集ポイントの数分巻き戻す（ステップＳ５０９）。図６の例では、閾値が２である場合を示しており、ステップＳ５０８で検出された編集ポイントの数が閾値である２と等しくなったと判断された場合、第一の編集ポイントの位置から編集ポイント２つ分の位置まで巻き戻す。
【００３０】
続いて、定常再生し、編集ポイントを検出する（ステップＳ５１０）。ステップＳ５１０で検出された編集ポイントの記録最小単位のデータをエラー訂正部１０６にてエラー訂正を行う（ステップＳ５１１）。
【００３１】
続いて、ステップＳ５１１でのエラー訂正にエラーが生じたか否かを判断する（ステップＳ５１２）。エラーが生じたと判断された場合、ステップＳ５１３に進む。エラーが生じなかったと判断された場合、ステップＳ５１５に進む。
【００３２】
ステップＳ５１３では、テープ位置が第一の編集ポイントの位置になったか否かを判断し、第一の編集ポイントの位置になったと判断された場合、ステップＳ５１４へ進み、第一の編集ポイントでないと判断された場合、ステップＳ５１１へ戻る。
【００３３】
ステップＳ５１５では、エラー訂正が正常に行われた編集ポイントの位置より、ストリーム連続となるようつなぎ記録を行う。
【００３４】
ステップＳ５１４では、エラー訂正が正常に行われた編集ポイントが見つからなかったため、第一の編集ポイントよりストリーム不連続となる記録を行う。
【００３５】
以上のように、本実施形態では、第一の編集ポイントの記録最小単位のデータに対するエラー訂正が正常に行われなかった場合、第一の編集ポイント周辺の編集ポイントを検出し、エラー訂正が正常に行われる編集ポイントからつなぎ記録を開始する。
【００３６】
また、第一の編集ポイントの周辺にエラー訂正が正常に行われたポイントを含む記録最小単位のデータがない場合、第一の編集ポイントからストリーム不連続となる記録を開始する。
【００３７】
他の実施形態として、第一の編集ポイントを含む記録最小単位のデータに対するエラー訂正が正常に行われなかった場合、その周辺の編集ポイントの検出を行わず、第一の編集ポイントからＤＣＦ記録を開始するようにしてもよい。つまり、第一の編集ポイントを含む記録最小単位のデータに対するエラー訂正が正常に行われた場合には、第一の編集ポイントからのつなぎ記録を開始し、第一の編集ポイントを含む記録最小単位のデータに対するエラー訂正が正常に行われなかった場合は、第一の編集ポイントからのＤＣＦ記録を開始するようにしてもよい。
【００３８】
また、第一の編集ポイントを含む記録最小単位のデータに対するエラー訂正が正常に行われなかった場合、つなぎ記録を行う対象となる他の編集ポイントを検出するか、それを行わず、第一の編集ポイントから直ぐにＤＣＦ記録を開始するか設定できるようにしても良い。
【００３９】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４０】
この場合、記憶媒体から読み出されたプログラムコード自体が前述した実施形態の機能を実現することになり、プログラムコード自体及びそのプログラムコードを記憶した記憶媒体は本発明を構成することになる。
【００４１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４２】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００４３】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００４４】
【図１】本発明の実施形態に係る記録再生装置の全体構成を示す図である。
【図２】磁気テープの一例を示す図である。
【図３】磁気テープ上のＥＣＣユニットの一例を示す図である。
【図４】図３における各トラック内の構成を示す図である。
【図５】記録再生装置の動作の流れを示すフローチャートである。
【図６】テープパターンの一部を示した図である。
【符号の説明】
【００４５】
１０１  ＶＩＤＥＯ Ｉ／Ｆ
１０２  ＡＵＤＩＯ Ｉ／Ｆ
１０３  ＭＰＥＧコーデック
１０４  バッファ管理部
１０５  ストリームバッファ
１０６  エラー訂正部
１０７  ＥＣＣＷＯＲＫメモリ
１０８  キャプチャメモリ
１０９  テープインタフェース
１１０  マイコン
１１１  キャプスタンモータ
１１２  テープインタフェース
【図１】
2006295488.tif 000003
【図２】
2006295488.tif 000004
【図３】
2006295488.tif 000005
【図４】
2006295488.tif 000006
【図５】
2006295488.tif 000007
【図６】
2006295488.tif 000008